【手続補正書】
【提出日】令和3年8月30日(2021.8.30)
【手続補正１】
【補正対象書類名】明細書
【補正対象項目名】０００６
【補正方法】変更
【補正の内容】
【０００６】
上記課題を解決するため、本発明に係る一態様の音楽データ送信装置は、
音楽再生装置へ音楽データを送信する音楽データ送信装置であって、
前記音楽データに関してデータサイズの異なる音楽データをそれぞれ生成及び／又は記憶する生成手段及び／又は記憶手段と、
前記音楽データ送信装置及び／又は前記音楽再生装置の電池残量を示す電池残量情報を取得する取得手段と、
前記取得手段によって取得された前記電池残量情報が示す電池残量に基づいて、前記音楽データを前記音楽再生装置へ送信する送信手段と、
を備えたことを特徴とする。
【手続補正２】
【補正対象書類名】明細書
【補正対象項目名】０００７
【補正方法】変更
【補正の内容】
【０００７】
また、上記課題を解決するため、本発明に係る他の態様の音楽データ送信装置は、
音楽再生装置へ音楽データを送信する音楽データ送信装置であって、
前記音楽再生装置による前記音楽データの保有の有無を示す保有情報を取得する取得手
段と、
前記取得手段によって取得された前記保有情報が示す前記音楽データの保有の有無に基づいて、前記音楽データの送信を制御する送信制御手段と、
を備えることを特徴とする。
【手続補正３】
【補正対象書類名】特許請求の範囲
【補正対象項目名】全文
【補正方法】変更
【補正の内容】
【特許請求の範囲】
【請求項１】
音楽再生装置へ音楽データを送信する音楽データ送信装置であって、
前記音楽データに関してデータサイズの異なる音楽データをそれぞれ生成及び／又は記憶する生成手段及び／又は記憶手段と、
前記音楽データ送信装置及び／又は前記音楽再生装置の電池残量を示す電池残量情報を取得する取得手段と、
前記取得手段によって取得された前記電池残量情報が示す電池残量に基づいて、前記音楽データを前記音楽再生装置へ送信する送信手段と、
を備えたことを特徴とする音楽データ送信装置。
【請求項２】
前記取得手段によって取得された前記電池残量情報が示す電池残量に基づいて、前記音楽データのデータサイズを決定する決定手段を備え、
前記送信手段は、前記決定手段によって決定された前記データサイズの音楽データを前記音楽再生装置へ送信する、
ことを特徴とする請求項１に記載の音楽データ送信装置。
【請求項３】
音楽再生装置へ音楽データを送信する音楽データ送信装置であって、
前記音楽データに関して同一の曲のデータサイズの異なる音楽データ、又は、異なる曲の音楽データをそれぞれ生成及び／又は記憶する生成手段及び／又は記憶手段と、
前記音楽データ送信装置及び／又は前記音楽再生装置の電池残量を示す電池残量情報を取得する取得手段と、
前記取得手段によって取得された前記電池残量情報が示す電池残量に基づいて、前記音楽データのデータサイズを決定する決定手段と、
前記決定手段によって決定された前記データサイズの音楽データを前記音楽再生装置へ送信する送信手段と、
を備えたことを特徴とする音楽データ送信装置。
【請求項４】
音楽データ送信装置から送信された音楽データを再生する音楽再生装置であって、
前記音楽データ送信装置から送信された情報を受信する受信手段と、
前記受信手段によって前記音楽データの再生を指示する指示情報が受信された場合、前記音楽再生装置及び／又は前記音楽データ送信装置の電池残量を示す電池残量情報を取得する取得手段と、
前記取得手段によって取得された前記電池残量情報が示す電池残量に基づいて、前記音楽データの送信を要求する要求情報を前記音楽データ送信装置へ送信する送信手段と、
を備えることを特徴とする音楽再生装置。
【請求項５】
前記取得手段によって取得された前記電池残量情報が示す電池残量に基づいて、前記音楽データのデータサイズを決定する決定手段を備え、
前記送信手段は、前記決定手段によって決定された前記データサイズの音楽データの前記要求情報を前記音楽データ送信装置へ送信する、
ことを特徴とする請求項４に記載の音楽再生装置。
【請求項６】
音楽データ送信装置から送信される音楽データを再生する音楽再生装置であって、
自装置が再生指示対象の音楽データを保有していない場合には、当該音楽データの送信を要求する要求情報を前記音楽データ送信装置へ送信する一方で、自装置が当該音楽データを保有している場合には、当該音楽データを送信しないようにする旨の指示情報を前記音楽データ送信装置へ送信する送信手段を備えることを特徴とする音楽再生装置。
【請求項７】
音楽再生装置へ音楽データを送信する音楽データ送信装置であって、
前記音楽再生装置による前記音楽データの保有の有無を示す保有情報を取得する第１の取得手段と、
前記第１の取得手段によって取得された前記保有情報が示す前記音楽データの保有の有無に基づいて、前記音楽データの送信を制御する送信制御手段と、
を備えることを特徴とする音楽データ送信装置。
【請求項８】
前記送信制御手段は、前記第１の取得手段によって取得された前記保有情報が前記音楽データを保有していることを示す情報である場合には、前記音楽データの送信を行わない、
ことを特徴とする請求項７に記載の音楽データ送信装置。
【請求項９】
前記送信制御手段は、前記第１の取得手段によって取得された前記保有情報が前記音楽データを保有していないことを示す情報である場合には、前記音楽データの送信を行う、
ことを特徴とする請求項７に記載の音楽データ送信装置。
【請求項１０】
前記音楽データ送信装置及び／又は前記音楽再生装置の電池残量を示す電池残量情報を取得する第２の取得手段を備え、
前記送信制御手段は、前記第１の取得手段によって取得された前記保有情報が示す前記音楽データの保有の有無、及び、前記第２の取得手段によって取得された前記電池残量情報が示す電池残量に基づいて、前記音楽データの送信を制御する、
ことを特徴とする請求項７〜９のいずれか一項に記載の音楽データ送信装置。
【請求項１１】
前記音楽データに関してデータサイズの異なる音楽データをそれぞれ生成及び／又は記憶する生成手段及び／又は記憶手段を更に備え、
前記第１の取得手段は、更に、前記音楽再生装置が前記音楽データを保有している場合、当該音楽データのデータサイズを示すデータサイズ情報を取得し、
前記送信制御手段は、
前記音楽データ送信装置と前記音楽再生装置のうち少なくともいずれか一方の電池残量が所定の閾値未満であり、かつ、前記音楽再生装置が前記音楽データを保有していない場合、前記生成手段及び／又は前記記憶手段によって生成及び／又は記憶された通常のデータサイズよりも小さい小容量版の音楽データを前記音楽再生装置へ送信するように制御することを特徴とする請求項１０に記載の音楽データ送信装置。
【請求項１２】
前記送信制御手段は、
前記音楽データ送信装置と前記音楽再生装置の両方の電池残量が所定の閾値以上であり、前記音楽再生装置が前記音楽データを保有しており、かつ、当該音楽データが前記小容量版の音楽データである場合、前記生成手段及び／又は前記記憶手段によって生成及び／又は記憶された前記小容量版の音楽データよりもデータサイズが大きい音楽データを前記音楽再生装置へ送信するように制御することを特徴とする請求項１１に記載の音楽データ送信装置。
【請求項１３】
前記送信制御手段は、
前記音楽データ送信装置と前記音楽再生装置の両方の電池残量が所定の閾値以上であり、かつ、前記音楽再生装置が前記音楽データを保有していない場合、前記生成手段及び／又は前記記憶手段によって生成及び／又は記憶された前記小容量版の音楽データよりもデータサイズが大きい音楽データを前記音楽再生装置へ送信するように制御することを特徴とする請求項１１又は１２に記載の音楽データ送信装置。
【請求項１４】
前記送信制御手段は、
前記音楽データ送信装置と前記音楽再生装置のうち少なくともいずれか一方の電池残量が所定の閾値未満であり、かつ、前記音楽再生装置が前記音楽データを保有している場合、前記生成手段及び／又は前記記憶手段によって生成及び／又は記憶された音楽データを前記音楽再生装置へ送信しないように制御することを特徴とする請求項１１〜１３のいずれか一項に記載の音楽データ送信装置。
【請求項１５】
前記小容量版の音楽データは、少なくとも音楽データのサンプリング周波数及び／又はビットレートを変更し音質を落とすことによってデータサイズを小さくした音楽データであることを特徴とする請求項１１〜１４のいずれか一項に記載の音楽データ送信装置。
【請求項１６】
前記保有情報及び前記電池残量情報の生成を指示する指示情報を前記音楽再生装置に対して送信する送信手段を備え、
前記第１の取得手段は、前記指示情報の送信を契機として前記音楽再生装置によって生成された前記保有情報を取得し、
前記第２の取得手段は、前記指示情報の送信を契機として前記音楽再生装置によって生成された前記電池残量情報を取得する、
ことを特徴とする請求項１０〜１５のいずれか一項に記載の音楽データ送信装置。
【請求項１７】
音楽再生装置と音楽データ送信装置とを備えた音楽再生システムであって、
前記音楽再生装置は、
音楽データを記憶可能な音楽再生装置側記憶手段と、
前記音楽再生装置側記憶手段によるユーザー所望の音楽データの記憶の有無を判別する音楽再生装置側判別手段と、
前記音楽再生装置の電池残量を計測する音楽再生装置側計測手段と、
前記音楽再生装置側判別手段による判別結果を示す判別結果情報、及び、前記音楽再生装置側計測手段による計測結果を示す計測結果情報を外部へ送信する音楽再生装置側送信手段と、
を備え、
前記音楽データ送信装置は、
前記ユーザー所望の音楽データを生成及び／又は記憶する音楽データ送信装置側生成手段及び／又は音楽データ送信装置側記憶手段と、
前記判別結果情報及び前記計測結果情報を受信する音楽データ送信装置側受信手段と、
前記音楽データ送信装置の電池残量を計測する音楽データ送信装置側計測手段と、
前記音楽データ送信装置側受信手段によって受信された前記判別結果情報が示す前記ユーザー所望の音楽データの記憶の有無、及び、前記計測結果情報が示す前記音楽再生装置の電池残量、並びに、前記音楽データ送信装置側計測手段によって計測された前記音楽データ送信装置の電池残量に基づいて、前記ユーザー所望の音楽データの前記音楽再生装置への送信を制御する音楽データ送信装置側送信制御手段と、
を備えることを特徴とする音楽再生システム。
【請求項１８】
音楽再生装置へ音楽データを送信する音楽データ送信装置のコンピュータを、
前記音楽データに関してデータサイズの異なる音楽データをそれぞれ生成及び／又は記憶する生成手段及び／又は記憶手段、
前記音楽データ送信装置及び／又は前記音楽再生装置の電池残量を示す電池残量情報を取得する取得手段、
前記取得手段によって取得された前記電池残量情報が示す電池残量に基づいて、前記音楽データを前記音楽再生装置へ送信する送信手段、
として機能させることを特徴とするプログラム。
【請求項１９】
音楽データ送信装置から送信された音楽データを再生する音楽再生装置のコンピュータを、
前記音楽データ送信装置から送信された情報を受信する受信手段、
前記受信手段によって前記音楽データの再生を指示する指示情報が受信された場合、前記音楽再生装置及び／又は前記音楽データ送信装置の電池残量を示す電池残量情報を取得する取得手段、
前記取得手段によって取得された前記電池残量情報が示す電池残量に基づいて、前記音楽データの送信を要求する要求情報を前記音楽データ送信装置へ送信する送信手段
として機能させることを特徴とするプログラム。
【請求項２０】
音楽再生装置へ音楽データを送信する音楽データ送信装置のコンピュータを、
前記音楽再生装置による前記音楽データの保有の有無を示す保有情報を取得する取得手段、
前記取得手段によって取得された前記保有情報が示す前記音楽データの保有の有無に基づいて、前記音楽データの送信を制御する送信制御手段、
として機能させることを特徴とするプログラム。